(57)【要約】【課題】  無線端末が存在する位置に応じて、施設情報を配信する。【解決手段】  サービスエリア毎にサービスを提供するために、無線基地局２００を経由して取得した無線端末１００の位置情報を管理し、その無線端末の位置に応じて必要なサービスを提供する機能を持つ位置情報処理システム３４０を有する。無線端末１００より送信される位置情報と、サービスエリア毎に定義された位置情報との比較を行い、無線端末がそのサービスエリア内に居ると判断すると、施設に関する情報を無線端末に対して配信したり、アトラクションへの参加登録処理を実施したり、ユーザに対して課金処理を行ったりする。【選択図】図１
2006157354.tif 000002
【特許請求の範囲】
【請求項１】
無線端末との間で電波を送受信する無線基地局と、該無線基地局と接続されデータの転送を行う移動交換システムと、該移動交換システムに接続され前記無線端末の位置情報に基づいて前記無線端末に情報の配信を行う位置情報処理システムとで構成された位置情報配信システムであって、
前記無線端末が階層化された複数のサービスエリアのいずれかに移動したことを検出したとき、前記無線端末の移動先のサービスエリアに対応する情報を前記無線端末に配信することを特徴とする位置情報配信システム。
【請求項２】
請求項１に記載の位置情報配信システムであって、
前記複数のサービスエリアは、前記無線端末の所有者に対する課金を経て進入を許可する課金エリア周囲の課金確認エリアと、前記課金エリア内部のイベントエリアとを含むことを特徴とする位置情報配信システム。
【請求項３】
無線端末との間で電波を送受信する無線基地局と、該無線基地局と接続されデータの交換を行う移動交換システムと、該移動交換システムに接続され前記無線端末の位置情報に基づいて情報の配信を行う位置情報処理システムとで構成された位置情報配信システムであって、
前記無線端末がサービスエリア外から課金確認エリアに移動したとき、該課金確認エリアで囲まれた課金エリアへの移動希望確認を配信し、
前記無線端末が前記課金確認エリアから前記課金エリアに移動したとき、課金処理を行うことを特徴とする位置情報配信システム。
【請求項４】
無線端末に情報を配信する位置情報配信方法であって、
前記無線端末の位置情報を取得し、
取得した位置情報に基づき、前記無線端末に適した情報を決定し、
決定した情報を前記無線端末に送信することを特徴とする位置情報配信方法。
【請求項５】
請求項４に記載の位置情報配信方法であって、
前記位置情報の取得は、予め定めた時間を経て２回実施することを特徴とする位置情報配信方法。
【発明の詳細な説明】
【技術分野】
【０００１】
本発明は、端末に対して情報を配信する情報配信システムおよび情報配信方法に関するものであり、特に、無線端末が存在する位置に応じた情報を配信する情報配信システムおよび情報配信方法に関する。
【背景技術】
【０００２】
従来、国内外における移動体通信サービスにおいて、無線端末の利用者（以下、ユーザと称する）は、有料施設へ入場したい場合は無線端末を用いて入場するためのチケットを予め購入することができる。ここで施設とは、建物のみでなく遊園地や公園などの敷地も含む。チケットセンターは、ユーザからの要求に応じて、施設に関する情報や入場に必要なバーコードの情報を無線端末に対して配信しチケット等の購入に必要な課金処理を行う。この場合、ユーザは自分から施設に関する情報をチケットセンター等に問い合わせを行い、購入に必要な処理を要求する。
有料施設への入場チケットを無線端末で購入する技術について記載されている文献として、特許文献１がある。
【０００３】
【特許文献１】特開２００３−１６９１５７号公報
【発明の開示】
【発明が解決しようとする課題】
【０００４】
特許文献１によれば、有料施設へ入場するために必要なチケットは無線端末を使用して購入することが出来る。予め有料施設へのチケットを購入する方法は様々あり、何も、無線端末と位置情報を使用する必要はない。例として、インターネットや携帯電話を使用した事前のチケット購入がある。ユーザは、施設の運営会社等が提供・管理するチケット購入用のサイトにアクセスし、必要情報を入力してチケットを購入する。
【０００５】
無線端末の位置情報を使用すれば、時々刻々と変化する無線端末の位置に応じて、チケットの購入のみではなく、有料施設へ入場後もその無線端末の位置に応じてサービスを提供出来る。この様なサービスを提供するには、無線端末が居る位置を、課金確認エリア、課金エリア、イベントエリア等の複数の階層化されたサービスエリアを定義し、それぞれのサービスエリアに無線端末が入った時に、そのサービスエリア毎に定義された関連サービスを提供する方法が必要となる。しかしながら、特許文献１には、これらの記載がない。
【０００６】
本発明の目的は、ユーザが施設への入場を希望している場合に、予めその施設へ近づいた時点で入場処理が行うことによって、迅速に入場可能とすることにある。また、本発明の他の目的は、有料施設への入場後も、そのユーザが居る位置に応じて様々なその施設に関連するサービスを提供することにある。
【課題を解決するための手段】
【０００７】
本発明は、サービスエリア毎に異なる情報の配信を行うために位置情報処理システムを有する。位置情報処理システムは、無線基地局を経由して取得した無線端末の位置情報を管理し、その無線端末の位置に応じて必要な情報配信を行う。
【発明の効果】
【０００８】
本発明によれば、無線端末のユーザは施設へ近づいた時に入場に必要な課金処理が出来る。また、施設への入場後にも、無線端末の存在する位置に応じてアトラクションへの参加登録等の様々なサービスを受けることが出来る。
【発明を実施するための最良の形態】
【０００９】
以下、本発明の実施の形態について実施例をもちいて図面を参照しながら説明する。なお、同一箇所については、同じ符号を振り、一旦説明した後は説明を省く。
【実施例１】
【００１０】
実施例１において、図１は、本発明の実施例を説明する情報配信システムのブロック図である。図２は、本発明の実施例の課金確認エリアと課金エリアを説明する図である。図３は、本発明の実施例の課金エリアとその中のイベントエリアを説明する図である。図４は、本発明の実施例の課金確認エリアと課金エリアを説明する図である。図５は、本発明の実施例の課金情報読取端末と課金処理システムの関係を説明する図である。図６は、本発明の実施例を説明する課金情報読取端末のブロック図である。図７は、本発明の実施例を説明する無線端末のブロック図である。図８は、本発明の実施例を説明する無線基地局のブロック図である。図９は、本発明の実施例を説明する移動交換システムのブロック図である。図１０は、本発明の実施例を説明する位置情報処理システムのブロック図である。図１１は、本発明の実施例を説明する課金処理システムのブロック図である。図１２は、本発明の実施例を説明する施設運営会社のブロック図である。
【００１１】
また、図１３は、本発明の実施例を説明する無線端末のメニュー選択画面を説明する図である。図１４は、本発明の実施例を説明する施設登録から施設入場までのシーケンス図である。図１５は、本発明の実施例を説明する施設登録から施設入場までの課金処理に関するシーケンス図である。図１６は、本発明の実施例を説明する施設入場時のシーケンス図である。図１７は、本発明の実施例を説明するイベント登録からイベント参加までのシーケンス図である。図１８は、本発明の実施例を説明するイベント登録時の位置情報判定ＮＧの場合のシーケンス図である。図１９は、本発明の実施例を説明する使用金額確認時のシーケンス図である。図２０は、本発明の実施例を説明する位置情報判定のフロー図である。図２１は、本発明の実施例の無線端末のデータベース構造を説明する図である。図２２は、本発明の実施例のサービスＤＢのデータベース構造を説明する図である。そして、図２３は、本発明の実施例の顧客ＤＢのデータベース構造を説明する図である。
【００１２】
図１を用いて、位置情報によりサービスを提供する情報配信システム１０００の構成を説明する。課金確認エリア、課金エリア等であるサービスエリア６００に無線端末１００と無線端末１２０が存在する。これら無線端末１００と無線端末１２０は、それぞれ無線基地局２００と無線基地局２１０との間で位置情報の送受信、施設に関する情報の送受信、課金処理を行うための情報の送受信を行う。無線端末と無線基地局との間で送受信された情報は、移動交換システム３００を経由して位置情報処理システム３２０で処理される。位置情報処理システム３２０では、無線端末の位置情報の管理と顧客がどのサービスエリアに関するサービスに興味があるか、また、アトラクションや施設の案内やお得情報等のサービスエリアに関する情報配信のためのデータを保持している。
【００１３】
この位置情報処理システム３２０により課金を伴う位置情報処理されると、位置情報処理システム３２０は課金処理システム３４０へその処理結果を通知し、課金処理システム３４０はその中にある課金に関するデータベースを更新する。施設運営会社４００は、公衆網８００を経由して位置情報処理システム３２０のコンテンツ情報を更新する。課金処理システム３４０の結果は、無線端末の通信料と一緒にユーザに請求する。または、公衆網８００を経由して金融会社４５０とリアルタイムで決済しても良い。
【００１４】
図２と図３を用いて、サービスエリア６００の概念を説明する。図２には、有料施設へ入場する前のチケット購入や施設に関する情報の配信を行う課金確認エリア６１０と、入場が有料の施設の中にある課金エリア６２０が定義されている。無線端末１００を持つユーザが課金確認エリア６１０の中に入ると、無線端末１００はその位置情報を無線基地局２００へ送信する。これを受信した無線基地局２００は、無線端末１００に対して有料施設に関する料金案内やアトラクション案内等の情報を含むデータを配信する。この情報を確認したユーザは、有料施設への入場の意思があれば無線端末を使用してチケットの購入を行う。なお、この段階では、ユーザはチケットを仮で購入したのみである。
【００１５】
ユーザが課金エリア６２０に入場すると、無線端末１００から課金エリア６２０に進入したことが課金情報読取端末（図６で後述する）を経由して位置情報処理システム３２０と課金処理システム３４０に通知されるので、実際の課金処理が行われる。上述したように、課金エリア６２０と課金確認エリア６１０とは、お互いに独立したサービスエリア６００であり、重なることはない。しかしながら、図４で後述する通り課金確認エリアを無線基地局のセクタの重なりで定義するので、無線基地局からは課金エリア６２０は課金確認エリアの一部である。
【００１６】
図３を用いて、イベントエリア６３０を説明する。本実施例では、課金エリア６２０の中にはイベントエリア６３０Ａとイベントエリア６３０Ｂとが存在する。ユーザがあるアトラクションに参加したい場合、そのユーザは予め定められたイベントエリア６３０Ａに移動し、アトラクションに参加したい旨無線端末１００を使用して登録する。情報配信システム１０００は、登録が行われると、無線端末１００が当該イベントエリア６３０Ａに居るかどうか位置情報を確認する。この結果、そのイベントエリア６３０Ａに居ると判断すればアトラクションへの参加登録が行われる。逆に、無線端末１００がそのイベントエリアに居ない場合は、アトラクションへの参加登録は行われない。上述したように、イベントエリア６３０は、課金エリア６２０内のサービスエリア６００である。
【００１７】
アトラクションへ参加したユーザは、別のアトラクションに参加するために次のイベントエリア６３０に移動することになる。この様に本実施例では、複数の階層化されたサービスエリア毎にサービスを提供する。
【００１８】
図４を用いて、無線基地局とサービスエリアの関係を説明する。図４（ａ）に示すように、サービスエリア６００は、複数の基地局の複数のセクタにより構成されている。本実施例では、基地局２１０のセクタ２と、基地局２２０のセクタ１と、基地局２３０のセクタ３を課金確認エリアと仮に定義し、そのエリアの中に課金エリア６２０を定義する。仮に定義した課金確認エリアの課金エリア６２０の外が、課金確認エリア６１０である。この他に、例えば、無線端末がその位置情報を無線端末主導で実施するページングエリア毎に仮の課金確認エリアを定義することもできる。また、広大な有料施設の場合、もっと多数の基地局で、サービスエリアを定義する。
【００１９】
図４（ｂ）に示す課金エリア６２０は、課金確認エリアに囲まれて定義され、ＡとＢとＣとＤのＧＰＳ座標を表す四角のエリアである。本図では座標を２次元としているが、３次元で表される場合もある。無線端末が送信する座標情報により、この四角のエリア内に居ると、情報配信システム１００が判断した場合、無線端末は課金エリア６２０に居ることとなる。また、図４（ｃ）に示す課金エリア６２０の中には、ＥとＦとＧとＨのＧＰＳ座標の中にあるイベントエリア６３０が定義されている。課金エリア６２０の中にいるユーザは、参加したいイベントエリアに移動してアトラクション登録を行うことが出来る。
【００２０】
なお、無線端末の位置を確認するには、ＧＰＳ情報を使用する方法と、複数の無線基地局からの電波を受信してその強弱により位置を特定する方法がある。これらは、何れも三角測量の原理を用いて無線端末の位置を判断する。
【００２１】
図５（ａ）は、課金エリアに入場するときに無線端末から課金情報を読み出して課金処理を行う課金処理システムのブロック図を示す。無線端末を使用してチケットを購入すると、施設運営会社から、バーコードやチケット番号等の課金エリアに入場するための情報が配信される。ユーザはこの配信された情報を、課金情報読取端末５００に手入力、または読取らせることによって入力すると、その情報は無線キャリアがサービスしている無線網８００を経由して課金処理システムを持つ無線キャリア３４０へ送信され、チケット購入代金を支払うための課金処理が行われる。
位置情報管理システムは、課金情報読取端末からの送信を受けて、課金エリアに移動と判断し、施設の各種情報を配信しても良い。
【００２２】
図６（ａ）を用いて情報読取端末５００を説明する。課金情報読取端末５００は、施設の入り口に配備され、無線網８１０を経由して課金処理システムと通信する。課金情報読取端末５００は、無線基地局２００と電波を使用して通信するためのアンテナ５０１と通信装置５０２を有する。入力装置５０４にて無線端末より入力されたバーコードやチケット番号等のデータはＣＰＵやＲＡＭにて構成される制御装置５０５にて処理され、通信装置５０２を経由して、課金処理システム３４０との間で送受信される。その処理結果がディスプレイおよびスピーカで構成される出力装置５０３にて出力される。記録装置５０６は、通信装置５０２や出力装置５０３や入力装置５０４や制御装置５０５を動作させるためのプログラムが格納されており、また、制御装置５０５の処理データが一時的に格納される。
【００２３】
図７を用いて、無線端末１００を説明する。無線端末１００は、アンテナ１０１、通信装置１０２、出力装置１０３、入力装置１０４、制御装置１０５および記憶装置１０６を有する。また、ＧＰＳ信号の受信機能として、ＧＰＳアンテナ１０７、受信装置１０８およびＧＰＳ処理装置１０９を有する。
【００２４】
アンテナ１０１は、無線基地局から送信された電波を電気信号に変換し、通信装置１０２から送られた電気信号を電波に変換して無線基地局に送信する。通信装置１０２は、Ｒａｄｉｏ  Ｆｒｅｑｕｅｎｃｙ回路とモデムを有しており、アンテナ１０１から送られた電気信号を復調処理し、アンテナ１０１に送るデータを変調処理する。出力装置１０３は、アンテナ１０１を介して受信された有料施設に関する情報や課金情報、ユーザによって入力された情報を、ディスプレイまたはスピーカを介して出力する。入力装置１０４は、ユーザによって操作されるものであり、ボタンまたはタッチパネル等である。制御装置１０５は、無線端末１００内部の各種装置、通信装置１０２、出力装置１０３および記録装置１０６やＧＰＳ処理装置等を制御する。記憶装置１０６は、アンテナ１０１を介して受信された情報を蓄積しており、さらに無線端末１００を制御するためのプログラムを記憶する。
【００２５】
ＧＰＳアンテナ１０７は、複数のＧＰＳ衛星より送信される電波を受信し電気信号に変換する。この電気信号は、受信装置１０８でデータに変換され、ＧＰＳ処理装置１０９にて無線端末１００の居るＧＰＳ座標を算出する。ユーザは、無線端末１００を利用して、興味のあるジャンルの有料施設を登録し、または無線端末１００に蓄積されている有料施設に関するコンテンツを視聴し、入出力装置を使用してチケットの購入やアトラクションへの参加登録をする。
【００２６】
図８（ａ）を用いて、無線基地局２００を説明する。無線基地局２００は、アンテナ２０１、通信装置２０２、制御装置２０３、記憶装置２０４、ＩＮＦ（Ｉｎｔｅｒｆａｃｅ）２０５で構成される。アンテナ２０１は、無線端末から送信された電波を電気信号に変換し、通信装置２０２から送られた電気信号を電波に変換して無線端末に送信する。通信装置２０２は、ＲＦ回路とモデムを有しており、アンテナ２０１から送られた電気信号を復調処理し、記憶装置２０４に蓄積された情報を変調処理する。制御装置２０３は、無線基地局２００内部の各種装置（通信装置２０２、記録装置２０４、ＩＮＦ２０５）を制御する。記憶装置２０４は、無線基地局２００を制御するためのプログラムを記憶する。ＩＮＦ２０５は、移動交換システムと通信するためのインターフェースを提供する。
【００２７】
図９において、移動交換システム３００は、制御装置３０６、交換装置３０５、記憶装置３０７、ＩＮＦ３０１〜３０４で構成される。制御装置３０６は、移動交換システム３００内の各装置（交換装置３０５、記憶装置３０７、ＩＮＦ３０１〜３０４）を制御する。交換装置３０５は、データの交換処理を行う装置であり、パケット交換を行うルータまたは回線交換を行うスイッチである。記憶装置３０７は、移動交換システム３００を制御するための制御プログラムを記憶する。ＩＮＦ３０１は、無線基地局と通信するためのインターフェースである。ＩＮＦ３０２は、公衆網を経由して施設運営会社や金融会社と通信するためのインターフェースである。ＩＮＦ３０３は、位置情報システムと通信するためのインターフェース、ＩＮＦ３０４は、課金処理システムと通信するためのインターフェースである。
【００２８】
図１０を用いて、位置情報処理システム３２０を説明する。位置情報処理システム３２０は、制御装置３２２、顧客ＤＢ３２９、サービスＤＢ３２４、配信サーバ３３０、保守装置３２３、メモリ３２５〜３２８、ＩＮＦ３２１で構成される。制御装置３２２は、位置情報処理システム３２０の各装置（保守装置３２３、配信サーバ３３０、ＩＮＦ３２１他）を制御する。配信サーバ３３０は、無線端末からの位置情報および配信要求に対して、その位置情報に関連するコンテンツ、例えば、施設情報やアトラクション情報、お得情報等を配信する。サービスＤＢ３２４は、外部記憶装置で構成され、有料施設エリアを含むサービスエリアを定義した位置情報や配信サーバ３３０が配信するコンテンツを格納している。顧客ＤＢ３２９は、外部記憶装置で構成され、そのユーザがどの有料施設に関するサービスを希望しているかを登録し、どの様なサービスを受けているかの管理を行う。メモリ１〜４（３２５〜３２８）は、無線端末に対して配信される予定のコンテンツを一時的に保存する。また、メモリ１〜４（３２５〜３２８）は、無線端末を持つユーザがどのサービスエリアにいるかの位置情報を格納し、位置情報を処理するためのデータを一時的に保存する記憶装置である。
【００２９】
図１１を用いて、課金処理システム３４０を説明する。課金処理システム３４０は、制御装置３４２、課金ＤＢ３４４、保守装置３４３、ＤＢ１〜４（３４５〜３４８）、ＩＮＦ３４１で構成される。制御装置３４２は、課金処理システム３４０の各装置（保守装置３４３、ＩＮＦ３４１等）を制御する。課金ＤＢ３４４は、メモリで構成され、入場に必要なチケット料金やアトラクションの参加に必要な費用等のデータを持つ。ＤＢ１〜４（３４５〜３４８）には、ユーザ毎に有料施設への入場やアトラクションの参加費用等の課金情報を管理・格納している。課金処理システム３４０は、ワークステーション等の入出力装置で構成される保守装置３４３を使用して保守される。ＩＮＦ３４１は、移動交換システムを経由して位置情報処理システムや金融機関との間でデータを送受信するための回線インターフェースである。
【００３０】
図１２（ａ）を用いて、施設運営会社４００を説明する。施設運営会社４００には、コンテンツサーバ４０１、制御装置４０２、保守装置４０４、ＩＮＦ４０３で構成される。制御装置４０２は、コンテンツサーバ４０１とＩＮＦ４０３との間で送受信されるデータを制御する。コンテンツサーバ４０１は、ユーザに配信する施設に関する案内やアトラクション情報、お店情報やクーポン情報等のデータを格納し配信する。このコンテンツは、位置情報処理システムの配信サーバ等に送信し蓄積され、ユーザがどのサービスエリアに居るかに応じて位置情報処理システムより配信される。ＩＮＦ４０３は、公衆網と移動交換システムを経由して位置情報処理システムや金融機関との間でデータを送受信するための回線インターフェースである。
【００３１】
図１３を用いて無線端末の画面表示を説明する。課金確認エリアにユーザが入り有料施設に関する情報を受信するには、予めその課金確認エリアがサービスしているジャンルを登録する必要がある。図１３（ａ）は、このジャンルを登録する画面である。本実施例では、ユーザは遊園地と公園に興味があるとする。ユーザは、無線端末を操作して興味を持つジャンルとして「遊園地・公園」を選択し、その中からどの遊園地や公園を事前に登録するか選択する。特定の遊園地や公園ではなく、「遊園地・公園」というジャンルで登録した場合、課金確認エリアのジャンルが遊園地や公園であった場合、そのユーザは該当する課金確認エリアに進入した場合は、その課金確認エリア内にある遊園地や公園に関する情報を受信しチケットを購入することが出来る。逆に、興味あるジャンルを登録していない場合、ユーザがある施設の課金確認エリアに進入しても、そのユーザへは施設に関する情報が配信しない。
【００３２】
図１３（ｂ）は、ユーザが興味あるアトラクションを登録するときの無線端末の画面である。本実施例では、ユーザはジェットコースターに乗りたいとする。ユーザはアトラクションの一覧からジェットコースターを選択して、そこに表示されるメニューより登録する。登録を選択すると無線端末の位置情報が確認され、その無線端末がそのアトラクションに関連するイベントエリアに居る場合は登録処理が行われる。登録処理が行われると、同じアトラクションに登録したユーザ一覧に追加される。したがって、一度のアトラクションに参加出来る人数とアトラクション待ちのユーザ数から待ち時間を演算し、無線端末に送信する。待ち時間が長く、アトラクションへの参加を止める場合は登録解除する。メニューの付加情報とは、そのアトラクションに関する情報を受信したい場合に選択する。付加情報の内容は、アトラクションに関する動画広告、過去にそのアトラクションに参加したユーザの評価等である。
【００３３】
次に、無線端末を持つユーザが有料施設へ入場するまでの手順について、図１４を用いて説明する。サービスエリアに応じてサービスを受けるには、ユーザは予め興味のあるジャンルや施設等の情報を登録する必要がある。ユーザは無線端末を使用して施設の登録を行う。ジャンルや施設を登録する手順は、図１３を用いて説明した。無線端末へ施設の登録情報の入力が済むと、無線端末は無線基地局に対して施設登録を送信する（Ｔ６０１）。それを受信した無線基地局は、その情報を位置情報処理システムに送信する（Ｔ６０２）。これを受信した位置情報処理システムは、その施設に関する課金確認エリア情報について無線基地局を経由して無線端末に配信する（Ｔ６０３〜Ｔ６０４）。この課金確認エリア情報を受信した無線端末は、この情報を無線端末の記憶装置に保存する。
【００３４】
後日、無線端末を持つユーザが施設登録時に受信した課金確認エリアに移動したとする。無線端末は課金確認エリアに移動すると、無線端末が記憶装置に持っている課金確認エリア情報とＧＰＳ等により得られた位置情報を比較し、無線端末が課金確認エリアに移動したと判断した場合は無線基地局へ位置情報を送信する（Ｔ６０５）。これを受信した無線基地局は、無線端末が一時的に課金確認エリアに移動したのか、無線端末の位置誤判定により課金確認エリアに居ないのに位置情報を送信していないか、無線端末がその課金確認エリアに居るかの判定を行う。この判定は、図２０を用いて後述する。無線基地局は、ユーザがその課金確認エリアに関連する施設を登録しているか確認する（Ｔ６０６）。この確認を入れることにより、ユーザへの施設に関する情報の誤送信を無くすことが出来る。
【００３５】
位置情報処理システムは、ユーザがその施設を登録しているかを検索し、施設登録確認回答を無線基地局に送信する（Ｔ６０７）。ユーザがその施設を登録していると判断した場合、位置情報処理システムは施設情報配信指示と施設に関する情報を配信する（Ｔ６０８）。これを受信した無線基地局は、無線端末が課金確認エリア内に居ると判断すると、位置情報処理システムより受信した施設情報を配信する（Ｔ６０９）。施設情報を受信したユーザは、その施設に関する情報を確認する。この情報には、施設内のアトラクション情報やお得情報等の付加情報の他に、入場に必要なチケットを購入するための入場料に関する情報も含まれる。
【００３６】
ユーザにその施設へ入場したいという意思があるとする。このとき、そのユーザは無線端末を使用してチケットを購入するための入力処理を行う。これを受けて無線端末は、位置情報処理システムに無線基地局を経由して課金処理要求を送信する（Ｔ６１０〜Ｔ６１１）。これを受信した位置情報処理システムは、課金処理システムとの間で課金処理を行う。この時点ではチケットを購入するための仮の課金処理が行われるが、実際に費用の請求が行われるのはユーザが施設へ入場した時となる。課金処理システムとの間で課金処理が行われると、位置情報処理システムは無線端末に対して無線基地局を経由して課金確認を送信する（Ｔ６１２〜Ｔ６１３）。この課金情報の内容を確認したユーザは、その内容を承認するために確認承認を位置情報処理システムへ送信する（Ｔ６１４〜Ｔ６１５）。そして、位置情報処理システムは、この承認された内容を課金処理システムとの間で処理し、その処理結果を無線端末に配信する（Ｔ６１６〜Ｔ６１７）。この時に、課金処理結果に合わせて、入場に必要なバーコードの情報またはチケット番号を配信する。これを受信したユーザは、有料施設へ入場する。
【００３７】
図１５を用いて、施設情報の登録から施設へ入場するまでの、移動交換システムと位置情報処理システムと課金処理システムとのデータ送受信手順を説明する。無線端末からの施設登録要求が無線基地局を経由して移動交換システムに送信されると、移動交換システムはその情報を位置情報処理システムに送信する（Ｔ７００）。これを受信した位置情報処理システムは、無線端末に対して課金確認エリア情報を配信するために移動交換システムへそれを送信する（Ｔ７０１）。無線端末が課金確認エリアに移動すると、無線基地局に対して位置登録を送信し、無線基地局はそのユーザが課金確認エリアに関連するサービスを登録しているか確認するために施設登録確認を送信する。これを受信した移動交換システムは、その情報を位置情報管理システムに送信する（Ｔ７０２）。これを受信した位置情報処理システムは、施設情報配信指示と施設情報を無線基地局へ送信するために移動交換システムへ送信する（Ｔ７０３）。
【００３８】
この配信された施設情報を確認したユーザは、その施設へ入場したいという意思があり、入場するためのチケットを購入したい場合は、無線端末よりチケットを購入するための手続きを行い、無線基地局へその手続き要求を送信する。無線端末からの課金処理要求を無線基地局経由で受信した移動交換システムは、その課金処理要求を位置情報処理システムへ送付する（Ｔ７０４）。これを受信した位置情報処理システムは、顧客データベースと照合して問題なければ課金処理システムに対して課金処理要求を送信する（Ｔ７０５）。これを受信した課金処理システムは、必要であれば課金に必要なユーザに関する情報や施設に関する情報、例えば、年齢等を受信するために、付加情報の配信を要求する（Ｔ７０６〜Ｔ７０７）。付加情報を受信すると課金処理システムはその情報を基に必要金額を算出し、無線端末に対して課金確認を送付するために位置情報処理システムに送信する（Ｔ７０８）。これを受信した位置情報処理システムは顧客データベースを更新し、無線端末に対して配信するために移動交換システムへ課金確認のデータを送信する（Ｔ７０９）。ユーザは、課金確認の内容を確認し、その内容を確定するために課金承認を無線端末より課金処理システムに移動交換システムと位置情報処理システムを経由して送信する（Ｔ７１０〜Ｔ７１１）。
【００３９】
これを受信した課金処理システムは、チケット購入のためにユーザの課金データベースにその情報を仮登録する。そして課金処理の結果を無線基地局に対して位置情報処理システムと移動交換システムを経由して送信する。この時、バーコードまたはチケット番号等の入場に必要な情報も合わせて配信する（Ｔ７１２〜Ｔ７１３）。これを受信したユーザは有料施設へ入場すると、入場時に仮登録した課金情報を確定するために課金処理が行われる。この確定した情報で、後日、施設運営会社や金融機関と課金処理が行われる。
【００４０】
なお、一台の無線端末で家族（大人２名、子供２名）の課金処理を行うには、Ｔ７１０の送信時に、課金情報を変更すればよい。また、この時点（課金エリアに入った時点）で施設のアトラクションの案内図、無線端末を使ったアトラクション登録方法等を配信しても良い。
【００４１】
図１６を用いて、ユーザが有料施設へ入場するときの無線端末と課金情報読取端末と課金処理システムとの間の手順を説明する。無線端末は、施設へ入場する前にバーコード情報またはチケット番号等の入場に伴う課金処理で必要となる情報を持っている。ユーザは、課金情報読取端末にテンキー入力またはバーコードをかざすことによって、課金処理番号を通知する（Ｔ７３０）。これを受信した課金情報読取端末は、その課金処理番号を課金処理システムへ送信する（Ｔ７３１）。課金処理システムでは、課金処理番号を受信した後、その番号が課金処理システムより発行された正しい番号であるかをデータベースの情報と照合する。照合結果で問題ない場合は、課金処理システムは課金情報読取端末に対して照合結果通知を送信する（Ｔ７３２）。この情報を受信した課金情報読取端末は、入場ゲートの開門指示を行うことによって、ユーザは施設へ入場する。
【００４２】
ユーザが施設へ入場すると、課金情報読取端末はその入場確認通知を課金処理システムへ送信し（Ｔ７３３）、これを受信した課金処理システムはチケットの購入時に仮で処理した課金処理情報のデータベースを正式に課金するために更新する。
【００４３】
図１７と図１８を用いて、ユーザーイベントに参加するまでの、無線端末、無線基地局、位置情報処理システムの手順を説明する。ユーザはイベントエリアに行く前に、予め参加したいイベントを無線端末の付加情報や施設のパンフレット等により確認する。ユーザは、参加したいイベントがあると、そのイベントに参加するために規定されたイベントエリアへ移動する。イベントエリアの範囲は、施設の中の標識や地面に書かれた情報等により確認する。ユーザは、イベントエリアに移動した後、参加したいイベントについて無線端末を使用して登録する（Ｔ７５０）。
【００４４】
イベント登録を受信した無線基地局は、その無線端末がそのイベントとして定義されたイベントエリアに居るか位置情報確認を無線端末に対して送信する（Ｔ７５１）。これを受信した無線端末は、ＧＰＳアンテナを経由して受信した測位情報または複数基地局からの電波強度より算出した位置情報について無線基地局を経由して位置情報処理システムに送信する（Ｔ７５２〜Ｔ７５３）。これを受信した位置情報処理システムは、データベースにあるイベントエリアの座標情報と無線端末より送信された位置情報を照合し、無線端末がイベントエリア内にいるか判定する。位置判定処理の結果、無線端末がイベントエリア内に居ると判断されると、位置情報処理システムはそのイベントの参加順番待ちリストに登録する。順番待ちリストに登録されると、位置情報処理システムは無線端末に対して、登録番号と概算の待ち時間を配信する（Ｔ７５４〜Ｔ７５５）。概算の待ち時間は、そのイベントの順番待ちをしているユーザ数と、１イベント当りの時間と参加可能人数で算出することが出来る。
【００４５】
待ち時間が経過し、イベントを登録したユーザが参加可能な時間が近づいた場合、位置情報処理システムはそのユーザがイベントに参加できる時間が近づいていることについて無線基地局を経由して無線端末へ送信する（Ｔ７５６〜Ｔ７５７）。ユーザがイベントに参加すると、イベントのエントランスに設けた課金情報読取端末は、無線基地局を経由してそのイベントに参加した旨、参加結果を位置情報処理システムに送付する（Ｔ７５８）。これを受信した位置情報処理システムは、ユーザのデータベースを更新して、必要に応じてそのイベントに参加するために発生する費用を課金する。尚、（Ｔ７５８）は省略される場合もある。この場合ユーザのデータベースは、一定時間後、参加した状態に遷移させる。
【００４６】
なお、ユーザが、イベントエリアにいることの確認はユーザ自身の確認に限らず、イベントエリアに入ったことを、端末に配信しても良い。この場合は、ユーザの負担を軽減することが可能である。また、図１８で説明する位置情報判定ＮＧの無駄なトラヒックを防止できる。
【００４７】
次に、にイベント登録時の位置情報判定がＮＧの場合の手順を図１８で説明する。ユーザはイベントエリア外でイベント登録を行う（Ｔ７８０）。このイベント登録を受信した無線基地局は、位置情報確認を無線端末に送信する（Ｔ７８１）。これを受信した無線端末は、ＧＰＳアンテナを経由して受信した測位情報や複数基地局からの電波強度より算出した位置情報を無線基地局を経由して位置情報処理システムに送信する（Ｔ７８２〜Ｔ７８３）。これを受信した位置情報処理システムは、データベースにあるイベントエリアの座標情報と無線端末より送信された位置情報を照合し、無線端末がイベントエリア内にいるか判定する。
【００４８】
位置判定処理の結果、無線端末がイベントエリア内に居ないと判断されると、ユーザがイベントエリアに居ないことを通知するために、位置情報処理システムは無線基地局を経由して無線端末に対してイベント再登録依頼を通知する（Ｔ７８４〜Ｔ７８５）。これを受信した無線端末は、その結果を出力装置に表示する。ユーザは、イベントエリアに移動し、イベントを再登録する。なお、このように一旦イベントエリアに移動してからでないと、登録を受け付けないことは、イベントエリア外からのアトラクションへの過大な予約を排除するために有効である。
【００４９】
図１９を用いて、無線端末を保持したユーザが課金エリア外へ移動したとき、課金情報を得る手順を説明する。施設の利用が終るとユーザは、課金エリアの外へ移動する。この時、無線端末はその日に発生した費用の課金情報を出力装置に表示させるために課金処理システムに対して無線基地局を経由して課金情報要求を送信して課金総額の問い合わせをする（Ｔ８００〜Ｔ８０１）。これを受信した課金処理システムは、ユーザーデータベースを検索し、該当ユーザの課金情報を検索する。この情報の検索が終了すると、課金処理システムは無線端末に対してその検索結果を課金情報として配信する（Ｔ８０２〜Ｔ８０３）。無線端末はこの受信した情報ら出力装置に出力して、ユーザにその情報を通知する。
【００５０】
次に、無線端末が課金確認エリアの中に移動したかの判定のフローについて、図２０を用いて説明する。図２０は、無線基地局で処理する内容を記載している。まず、無線基地局は、無線端末より位置情報を受信する（Ｓ１０００）。これを受信した無線基地局は、その無線端末が課金確認エリアの中にいるか確認する（Ｓ１００１）。無線端末が課金確認エリアにいると判断した場合、その無線端末が一時的に課金確認エリアに移動した、又は、位置情報の測定誤差によって位置情報が無線端末より送信された可能性があるので、位置判定時間（Ｔｊ）の間次の処理を待つ（Ｓ１００２）。位置判定時間が経過したら、再度無線端末が課金確認エリアの中に居るかをハンドオフ情報により確認する（Ｓ１００３）。何れの場合も、無線端末が課金確認エリアの中に居ないは判断された場合は（Ｎｏ）、フローの処理は終了する。
【００５１】
Ｓ１００３で無線端末が課金確認エリアに居ると判断された場合（Ｙｅｓ）、無線基地局は位置情報システムに対して、そのユーザがその課金確認エリアに関連する施設を登録しているか確認する（Ｓ１００４）。この処理は施設に関する情報を誤配信しないため実施するもので、ユーザがその施設を興味ある施設として登録していない場合（Ｓ１００５ Ｎｏ）、フロー処理は終了する。ユーザがその施設を登録している場合（Ｓ１００５ Ｙｅｓ）、位置情報の測定精度を上げるため、無線端末に対して着信処理を行う（Ｓ１００６）。着信されるとユーザは無線端末をカバンまたはポケット等から取り出し、ＧＰＳ信号をより受信しやすくなる。これにより、位置情報の精度が高まるので、その情報を受信した無線基地局は明らかにユーザが課金確認エリアの中にいると判断した場合は、次の処理である施設情報を配信する。
【００５２】
ユーザが有料施設に入りイベントを登録して参加するまでのフローを以下説明する。ユーザは、参加したいイベントをパンフレットや無線端末の情報にて確認する。イベント情報を確認したユーザは、参加したいイベントがあると、イベント毎に定められた場所（イベントエリア）へ移動する。イベントエリアに移動したユーザは、無線端末を使用してその参加したいイベントを登録する。その後、位置情報処理システムより無線端末に対してイベントの登録番号とイベント参加までの概算待ち時間が送信されるので、無線端末の出力装置によりユーザはその内容を確認する。イベント参加までの待ち時間の間、ユーザはイベントエリアの中にいる必要はない。イベントに参加できる時間が近づくと、無線端末はその情報を受信するので出力装置に出力し、イベント参加時間が近いことをユーザに知らせる。これを確認したユーザはイベントに参加するためにイベント毎に決められた場所へ移動してイベントに参加する。
【００５３】
図２１を用いて、無線端末が保持しているデータベース７００を説明する。データベース７００には、データベースのＩＤ ７０１とそのデータベースの内容７０２、そしてデータベースの値７０３が記録されており、有料施設等のサービスエリア毎にある。無線端末には、ＧＰＳ情報やセクタ情報等の課金エリアやイベントエリアを記録した位置情報と、その有料施設に関するジャンルと、有料施設へ入るための課金状態を記録した入場課金情報と、有料施設やイベントエリアやお得情報等に関する情報が何時に更新された情報かを記録した受信情報と、イベントエリアで登録したアトラクション情報を保持している。
【００５４】
位置情報は、ユーザが興味あるジャンルを登録したときに、位置情報処理システムより配信され、無線端末がその位置情報に記録された場所へ移動したときに施設に関する情報の受信や課金処理を開始する。入場課金情報は、ユーザが課金確認エリアに居て課金処理が済めば「仮払い」となり、課金エリアに入って課金処理が行われると「支払い済み」となる。また、受信情報は、ユーザがどの情報までを受信して内容を確認しているかの管理を行うためにあり、無線端末が保持している内容より更新された内容があると受信処理を行う。
【００５５】
図２２を用いて、位置情報処理システム内のサービスＤＢ（図１０の符号３２４）が記録しているサービスエリアの座標データベースを説明する。データベース７１０には、データベースのＩＤ７１１とそのデータベースの内容７１２、そしてデータベースの値７１３が記録されており、課金エリアやイベントエリア等のサービスエリアの位置情報を含んでいる。位置情報とは、例えば、ＧＰＳ座標等の情報である。この位置情報と、無線端末の位置情報の比較をすることで、その無線端末を持つユーザがサービスエリアの中にいるのか判断できる。課金エリアを例にとると、ユーザは、図４（ｂ）に示す課金エリアの付近に居るとする。このユーザが課金エリアの中に入ると、ユーザの位置を（Ｕｘ，Ｕｙ）として、式（１）〜（４）を満たせば、ユーザは課金エリアの中にいると判断でする。
Ｘ１≦Ｕｘ≦Ｘ２    （１）
Ｘ３≦Ｕｘ≦Ｘ４    （２）
Ｙ３≦Ｕｙ≦Ｙ１    （３）
Ｙ４≦Ｕｙ≦Ｙ２    （４）
この様に、サービスエリア毎に定められた位置情報と、刻々と移動して変化する無線端末の位置情報を比較することにより、ユーザがどのサービスエリアに居るのか確認することが出来る。そして、その確認結果に応じて、様々なサービスを提供することが可能となる。なお、位置情報処理システム内のサービスＤＢには、配信用コンテンツデータも格納しているが、ここでは説明を省く。
【００５６】
図２３を用いて、位置情報処理システム内にある顧客ＤＢ（図１０の符号３２９）が記録しているデータベースを説明する。データベース７２０には、データベースのＩＤ７２１とユーザ情報（７２２〜７２７）との対応が記載されている。ユーザ情報には、ユーザ７２２が登録した興味あるジャンル７２３、ユーザがどのサービスエリアに興味あるかを記録したエリアＩＤ７２４がある。入場７２５とは、そのユーザがエリアＩＤ７２４の場所に入場しているかどうかの値が入っており、’０’の場合は入場しておらず、’１’の場合が入場となる。サービスＩＤ７２６、７２７とは、そのユーザがそのエリアＩＤの中でどのイベントエリアを登録しているかを記録したテーブルである。
【００５７】
ＩＤが’００１’のユーザを例に説明する。このユーザの無線端末の番号はユーザ欄に記載されて値である。このユーザは公園に興味があり、多数ある公園の中でエリアＩＤが’００２’の公園を登録している。但し、このユーザは、この公園に入場していない。また、公園に入場していないので、サービスＩＤも、イベントエリアを登録してない’００００’となる。
【００５８】
次に、ＩＤが’００２’のユーザを例に説明する。このユーザは遊園地に興味があり、多数ある遊園地の中でエリアＩＤが’０５３’の遊園地を登録している。このユーザはその遊園地に入場しており、サービスＩＤが’１０５３’のイベントエリアを登録している。サービスＩＤは複数あり、複数のイベントエリアを登録することが可能である。この様に、顧客ＤＢは無線端末を持つユーザがどの様な場所でどの様なサービスを受けているか管理している。
【００５９】
本実施例に拠れば、無線基地局が課金確認エリアと課金エリアとイベントエリアを階層化して認識し、無線端末が階層化されたサービスエリアのいずれに存在するか把握できる。これによって、無線端末のユーザにとって有益な情報を階層化されたサービスエリアに対応して、受信することができる。
【００６０】
なお、図８（ｂ）に示すように無線基地局２００’は、制御装置２０３と接続したサービスＤＢ２０６を含んでも良い。ここで、サービスＤＢ２０６は、位置情報処理システム３２０のサービスＤＢ３２４の内容（サービスエリアの座標ＤＢ、コンテンツデータ）と同じである。この場合、上述した説明で位置情報処理システムが実施していた位置判定（例えば図１７）は、無線基地局が実施する。配下に有料施設の存在する基地局は、限られており、サービスＤＢを無線基地局に配置することで、無線基地局と移動交換システムとの間の通信量を抑制できる。
【実施例２】
【００６１】
実施例１では、位置情報処理システムと課金処理システムは、移動交換システムに接続され、無線キャリアが運営していた。これに対して、実施例２では、位置情報処理システムと課金処理システムは、施設運営会社が運営する。
【００６２】
図１２（ｂ）を用いて、施設運営会社４００’の構成を説明する。制御装置４０２には、さらに位置情報処理システム４２０と課金処理システム４１０とが接続される。位置情報処理システムは、実施例１の図１０で説明した構成である。また、課金処理システム４１０は、実施例１の図１１で説明した構成である。本実施例では、施設運営会社４００’にて位置情報処理が行われる。このため、無線端末の位置情報は無線キャリアが持つＨｏｍｅ Ｌｏｃａｔｉｏｎ  Ｒｅｇｉｓｔｅｒと呼ばれる図示しない無線端末の位置情報を管理する装置との間で送受信する。
【００６３】
図５（ｂ）（ｃ）を用いて、課金情報読取端末と施設運営会社とのネットワークを説明する。図５（ｂ）の課金情報読取端末５００は無線端末であり、無線網から公衆網を介して、施設運営会社に接続される。図５（ｃ）の課金情報読取端末５２０は、有線端末であり、直接公衆網を介して、施設運営会社に接続される。ここで、課金情報読取端末５２０について、図６（ｂ）を用いて説明する。
【００６４】
有線課金情報読取端末５２０は、無線課金情報読取端末５００と同様の機能を有する。その違いは、施設運営会社４００に設けた課金処理システムとのデータの送受信が無線か有線かにある。有線課金情報読取端末５２０は、有線キャリアがサービスする公衆回線に接続するためのＩＮＦ５２６と、課金情報読取端末５２０と位置情報処理システムや課金処理システムとの間でデータを送受信する通信装置５２４を有する。非接触型または接触型の入力装置５２２にて無線端末より入力されたバーコードやチケット番号等のデータは、ＣＰＵやＲＡＭにて構成される制御装置５２３にて処理され、通信装置５２４を経由してその処理されたデータが課金処理システムとの間で送受信される。その処理結果が、ディスプレイやスピーカで構成される出力装置５２１にて出力される。記録装置５２５は、通信装置５２４や出力装置５２１や入力装置５２２や制御装置５２３を動作させるためのプログラムが格納されており、また、制御装置５２３の処理データが一時的に格納される。
【００６５】
本実施例に拠れば、無線基地局が課金確認エリアと課金エリアとイベントエリアを階層化して認識し、無線端末が階層化されたサービスエリアのいずれに存在するか把握できる。これによって、無線端末のユーザにとって有益な情報を階層化されたサービスエリアに対応して、受信することができる。
【産業上の利用可能性】
【００６６】
本発明は、移動体通信システムのサービスを使用して、無線端末の位置に応じて様々なサービスを提供することを可能とする。
【図面の簡単な説明】
【００６７】
【図１】本発明の実施例を説明する情報配信システムのブロック図である。
【図２】本発明の実施例の課金確認エリアと課金エリアを説明する図である。
【図３】本発明の実施例の課金エリアとその中のイベントエリアを説明する図である。
【図４】本発明の実施例を説明する課金確認エリアと課金エリアの定義を説明する図である。
【図５】本発明の実施例を説明する課金情報読取端末と課金処理システムの関係図である。
【図６】本発明の実施例を説明する課金情報読取端末のブロック図である。
【図７】本発明の実施例を説明する無線端末のブロック図である。
【図８】本発明の実施例を説明する無線基地局のブロック図である。
【図９】本発明の実施例を説明する移動交換システムのブロック図である。
【図１０】本発明の実施例を説明する位置情報処理システムのブロック図である。
【図１１】本発明の実施例を説明する課金処理システムのブロック図である。
【図１２】本発明の実施例を説明する施設運営会社のブロック図である。
【図１３】本発明の実施例を説明する無線端末のメニュー選択画面を説明する図である。
【図１４】本発明の実施例を説明する施設登録から施設入場までのシーケンス図である。
【図１５】本発明の実施例を説明する施設登録から施設入場までの課金処理に関するシーケンス図である。
【図１６】本発明の実施例を説明する施設入場時のシーケンス図である。
【図１７】本発明の実施例を説明するイベント登録からイベント参加までのシーケンス図である。
【図１８】本発明の実施例を説明するイベント登録時の位置情報判定ＮＧ時のシーケンス図である。
【図１９】本発明の実施例を説明する使用金額確認時のシーケンス図である。
【図２０】本発明の実施例を説明する位置情報判定に関するフロー図である。
【図２１】本発明の実施例の無線端末のデータベース構造を説明する図である。
【図２２】本発明の実施例の無線基地局とサービスＤＢのデータベース構造を説明する図である。
【図２３】本発明の実施例の顧客ＤＢのデータベース構造を説明する図である。
【符号の説明】
【００６８】
１００…無線端末、１２０…無線端末、２００…無線基地局、２１０…無線基地局、２２０…無線基地局、３００…移動交換システム、３２０…位置情報管理システム、３４０…課金処理システム、４００…施設運営会社、４５０…金融会社、５００…課金情報読取端末、５２０…課金情報読取端末、６００…サーブビスエリア、６１０…課金確認エリア、６２０…課金エリア、６３０…エベントエリア、７００…無線端末データベース、７１０…サービスデータベース、７２０…顧客データベース、８００…公衆網、８１０…無線網。
【図１】
2006157354.tif 000003
【図２】
2006157354.tif 000004
【図３】
2006157354.tif 000005
【図４】
2006157354.tif 000006
【図５】
2006157354.tif 000007
【図６】
2006157354.tif 000008
【図７】
2006157354.tif 000009
【図８】
2006157354.tif 000010
【図９】
2006157354.tif 000011
【図１０】
2006157354.tif 000012
【図１１】
2006157354.tif 000013
【図１２】
2006157354.tif 000014
【図１３】
2006157354.tif 000015
【図１４】
2006157354.tif 000016
【図１５】
2006157354.tif 000017
【図１６】
2006157354.tif 000018
【図１７】
2006157354.tif 000019
【図１８】
2006157354.tif 000020
【図１９】
2006157354.tif 000021
【図２０】
2006157354.tif 000022
【図２１】
2006157354.tif 000023
【図２２】
2006157354.tif 000024
【図２３】
2006157354.tif 000025